(57)【要約】【課題】  ケーブル室にガス絶縁母管接続部を設けることで、電力ケーブルを湾曲させるための空間を不要にしてケーブル室の階高を低くすると共に、このケーブル室において複数本の電力ケーブルは這わせることを可能にし、かつ電力ケーブルの引き込みの方向性の自由度と開閉器室の作業性を高める。【解決手段】  変圧器室１と別の階層に設けた開閉器室３と、変圧器室１と開閉器室３との間の階層に設けたケーブル室２と、から成る屋内又は地下変電所に用いられる変電設備に電力ケーブル９とを接続する電力ケーブル接続構造であって、ケーブル室２に、その階高が低くなるように、開閉器室３に設置したガス絶縁開閉装置５から略垂直にガス絶縁母管７を引き出し、ガス絶縁母管７の軸方向に対して略直交するようにケーブルヘッド８を接続して成るガス絶縁母管接続部６を配置し、ガス絶縁母管接続部６のケーブルヘッド８に、電力ケーブル９を接続した。【選択図】  図１
2006067677.tif 000002
【特許請求の範囲】
【請求項１】
変圧器室（１）と、該変圧器室（１）と別の階層に設けた開閉器室（３）と、前記変圧器室（１）と開閉器室（３）との間の階層に設けたケーブル室（２）と、から成る屋内又は地下変電所等に用いられる変電設備に電力ケーブル（９）を接続する電力ケーブル接続構造であって、
前記ケーブル室（２）に、その階高が低くなるように、前記開閉器室（３）に設置したガス絶縁開閉装置（５）から略垂直にガス絶縁母管（７）を引き出し、該ガス絶縁母管（７）の軸方向に対して略直交するようにケーブルヘッド（８）を接続して成るガス絶縁母管接続部（６）を配置し、
前記ガス絶縁母管接続部（６）のケーブルヘッド（８）に、電力ケーブル（９）を接続した、ことを特徴とするガス絶縁開閉装置への電力ケーブル接続構造。
【請求項２】
前記ガス絶縁母管接続部（６）は、
前記ケーブル室（２）における前記ガス絶縁開閉装置（５）から垂直に引き出したガス絶縁母管（７）に、
該ガス絶縁母管（７）の軸方向に対して周囲方向へその向きを変位可能にケーブルヘッド（８）を接続したものである、ことを特徴とする請求項１のガス絶縁開閉装置への電力ケーブル接続構造。
【請求項３】
前記ケーブル室（２）の下階層に変圧器室（１）を、該ケーブル室（２）の上階層に開閉器室（３）をそれぞれ設けた、ことを特徴とする請求項１のガス絶縁開閉装置への電力ケーブル接続構造。
【発明の詳細な説明】
【技術分野】
【０００１】
本発明は、ガス絶縁開閉装置（ＧＩＳ）を設置した屋内又は地下変電所等の変電設備に係り、特にこのガス絶縁開閉装置に電力ケーブルを接続するケーブル室の階高を低くすることができるガス絶縁開閉装置への電力ケーブル接続構造に関するものである。
【背景技術】
【０００２】
ガス絶縁開閉装置は、遮断器、断路器、避雷器、母線など開閉装置の充電部を接地金属容器内に配置し、エポキシ樹脂注型品により絶縁支持すると共に、充電部と、接地金属容器との間を絶縁特性の優れたＳＦ６ガスなどを封入した構造の開閉装置である。例えば、屋内又は地下変電所に設置するガス絶縁開閉装置に電力ケーブルを接続するときは、図３に示すように、地下４階に変圧器５１を設置した変圧器室５２を設け、この変圧器室５２の上階層の地下３階に電力ケーブル５３を引き出すケーブル室５４を設け、このケーブル室５４の上階層の地下２階にガス絶縁開閉装置５５を設置した開閉器室５６を設けた地下変電設備において、ガス絶縁開閉装置５５に電力ケーブル５３を接続していた。
【０００３】
一般に、ケーブル室５４において、電力ケーブル５３は、この電力ケーブル５３の許容曲げ半径以内で電力ケーブル５３を湾曲させてガス絶縁開閉装置５５に接続していた。そして、このガス絶縁開閉装置５５から接続母管５７を介して下層階の変圧器室５２の変圧器５１と接続していた。
【０００４】
ガス絶縁開閉装置に関する先行技術としては、特許文献１の実開平６−７４０１０号公報の「ガス絶縁開閉装置」がある。この「ガス絶縁開閉装置」では、図４に示すように、母線部分、遮断器部分および線路側機器部分を有し、線路側機器部分の電力ケーブル端末ブロックに電力ケーブルが直接接続されるガス絶縁開閉装置において、電力ケーブル端末ブロックの中心軸を、垂直軸に対して任意の角度だけ傾けた状態で設けることにより、電力ケーブル６１をガス絶縁開閉装置６２から斜め下方に引き出すようにした、構造のものが提案されている。このように従来では電力ケーブル６１をガス絶縁開閉装置６２から斜め下方に引き出すことにより、地下室が省略できるようになっている。
【特許文献１】実開平６−７４０１０号
【０００５】
また、地下室を省略するために、この特許文献１には、従来技術を表す記載として、「この第２の例においては、ケーブルヘッド容器内の下部において水平に取り付けられる。また、架台内の変流器も、ケーブルヘッドと同一高さで水平方向に取り付けられる。そして電力ケーブルは、ケーブルヘッド、変流器を通して水平方向に引き出され、処理部において曲げられてその高さ位置を変え、ＧＩＳフロアー上に敷設される。」構造のものが提案されている。  
【発明の開示】
【発明が解決しようとする課題】
【０００６】
しかし、電力ケーブルは、直角に曲げることができないため、接続する電力ケーブルの径のサイズが太くなればなるほど曲げ半径が長くなり、この電力ケーブルを湾曲させるための空間が必要になり、ケーブル室の階高が高くなり、地下建物の建設工事費が高額になっていた。
【０００７】
また、特許文献１に記載されている技術は、単純に電力ケーブルを処理するための地下室を省略することにより、建設工事費を低減しているだけである。複数本の電力ケーブルを引き出す必要がある屋内の変電所又は地下変電所には不向きなものであった。特に、ガス絶縁開閉装置の設置方向により、これに接続する電力ケーブルの引き出し方向が決められるので、電力ケーブルの引き込み方向性が特定されるという問題を有していた
【０００８】
更に、特許文献１に記載されているように、ガス絶縁開閉装置から電力ケーブルを斜め下方に引き出す構造のものでは、このガス絶縁開閉装置の周囲に電力ケーブルが引き出されるために、ガス絶縁開閉装置の保守・点検の際に、これらの電力ケーブルが作業上の邪魔になり、開閉器室の作業性が低下するという問題を有していた。
【０００９】
本発明は、かかる問題点を解決するために創案されたものである。すなわち、本発明の目的は、ケーブル室にガス絶縁母管接続部を設けることで、電力ケーブルを湾曲させるための空間を不要にしてケーブル室の階高を低くすると共に、このケーブル室において複数本の電力ケーブルは這わせることを可能にし、かつ電力ケーブルの引き込みの方向性の自由度を高め、また、ガス絶縁開閉装置の開閉器室の作業性を高めることができるガス絶縁開閉装置への電力ケーブル接続構造を提供することにある。
【課題を解決するための手段】
【００１０】
本発明によれば、変圧器室（１）と、該変圧器室（１）と別の階層に設けた開閉器室（３）と、前記変圧器室（１）と開閉器室（３）との間の階層に設けたケーブル室（２）と、から成る屋内又は地下変電所等に用いられる変電設備に電力ケーブル（９）とを接続する電力ケーブル接続構造であって、前記ケーブル室（２）に、その階高が低くなるように、前記開閉器室（３）に設置したガス絶縁開閉装置（５）から略垂直にガス絶縁母管（７）を引き出し、該ガス絶縁母管（７）の軸方向に対して略直交するようにケーブルヘッド（８）を接続して成るガス絶縁母管接続部（６）を配置し、前記ガス絶縁母管接続部（６）のケーブルヘッド（８）に、電力ケーブル（９）を接続した、ことを特徴とするガス絶縁開閉装置への電力ケーブル接続構造が提供される。
【００１１】
前記ガス絶縁母管接続部（６）は、前記ケーブル室（２）における前記ガス絶縁開閉装置（５）から垂直に引き出したガス絶縁母管（７）に、該ガス絶縁母管（７）の軸方向に対して周囲方向へその向きを変位可能にケーブルヘッド（８）を接続したものである。
【００１２】
前記ケーブル室（２）の下階層に変圧器室（１）を、該ケーブル室（２）の上階層に開閉器室（３）をそれぞれ設ける。
【発明の効果】
【００１３】
上記構成の発明では、電力ケーブル（９）は、ガス絶縁開閉装置（５）から垂直に引き出したガス絶縁母管（７）の軸方向に対して周囲方向へその向きを自由に変えられるケーブルヘッド（８）に接続してあるので、この電力ケーブル（９）はケーブル室（２）において水平方向かつ所望の向きに引き出される。このように電力ケーブル（９）は、ガス絶縁母管接続部（６）を介在して水平に接続できるために、電力ケーブル（９）の径のサイズに左右されずに、ケーブル室（２）の階高を低くすることができ、屋内又は地下変電所の建設工事費を低減できる。
【００１４】
ケーブル室（２）において、多数本の電力ケーブル（９）を這わせることにより、ガス絶縁開閉装置（５）を設置した開閉器室（３）においては、複数の電力ケーブル（９）を引き出していないので、この開閉器室（３）での作業性を高めることができる。また、ガス絶縁母管接続部（６）を介在させることにより、ケーブル室（２）における、電力ケーブル（９）の引き出しの方向性の自由度を高めることができるので、あらゆる方向へ電力ケーブル（９）を引き出すことができる。
【発明を実施するための最良の形態】
【００１５】
本発明は、屋内又は地下変電所に変圧器室と、この変圧器室と別の階層に開閉器室とを設け、これらの変圧器室と開閉器室との間の階層にケーブル室を設けたものである。このケーブル室において、ガス絶縁開閉装置から略垂直にガス絶縁母管を引き出し、ガス絶縁母管の軸方向に対して略直交するようにケーブルヘッドを接続して成るガス絶縁母管接続部に、電力ケーブルを接続することにより、ケーブル室の階高を低くしたものである。
【実施例１】
【００１６】
以下、本発明の好ましい実施の形態を図面を参照して説明する。
図１は本発明のガス絶縁開閉装置への電力ケーブル接続構造を示す斜視図である。
本発明のガス絶縁開閉装置への電力ケーブル接続構造は、変電所、特に屋内の変電所又は地下変電所に用いる。例えば地下変電所は、地下４階に変圧器室１を設け、この変圧器室１の上階層の地下３階にケーブル室２を設け、更にこのケーブル室２の上階層の地下２階に開閉器室３を設けたものである。この変圧器室１には、変圧器４を設置し、開閉器室３には、ガス絶縁開閉装置５を設置した構成のものである。このガス絶縁開閉装置５は、上述したように遮断器、断路器、避雷器、母線など開閉装置の充電部を接地金属容器内に配置し、エポキシ樹脂注型品により絶縁支持すると共に、充電部と、接地金属容器との間を絶縁特性の優れたＳＦ６ガスなどを封入した構造の開閉装置である。
図示例では、ケーブル室２を挟んで、その下階層に変圧器室１を、上階層に開閉器室３を配置した例を示しているが、逆に下階層に開閉器室３を、上階層に変圧器室１を配置することも可能である。また、変圧器室１から開閉器室３についても、地下４階から地下２階に限定されないことは勿論である。
【００１７】
図２はガス絶縁母管接続部の拡大側面図である。
本発明ではケーブル室２において、ガス絶縁母管接続部６を設けることにより、このケーブル室２の階高が低くなるようにした。このガス絶縁母管接続部６は、ガス絶縁開閉装置５から略垂直にガス絶縁母管７を引き出し、このガス絶縁母管７の軸方向に対して略直交するようにケーブルヘッド８を接続して成るものである。このガス絶縁母管接続部６のケーブルヘッド８に電力ケーブル９を接続したものである。変圧器室１からケーブル室２を経て開閉器室３まで貫通しているものは、Ｔｒ一次接続母管１０である。
【００１８】
このように電力ケーブル９は、ケーブル室２において、ガス絶縁母管接続部６を介在して水平に接続することにより、電力ケーブル９の径のサイズに左右されないので、従来のように電力ケーブル９を湾曲させるための空間が不要になり、ケーブル室２の階高を低くすることができる。また、多数の電力ケーブル９は、ケーブル室２において這わせることにより、ガス絶縁開閉装置５を設置した開閉器室３においては、多数の電力ケーブル９を引き出していない。即ち、ガス絶縁開閉装置５の周囲に多数の電力ケーブル９が引き出されないので、この開閉器室３おけるガス絶縁開閉装置５の保守、点検等の作業性を高めることができる。
【００１９】
ガス絶縁母管接続部６は、ケーブル室２におけるガス絶縁開閉装置５から垂直に引き出したガス絶縁母管７に、ガス絶縁母管７の軸方向に対して周囲方向へその向きを変位可能にケーブルヘッド８を接続することにより、ケーブル室２における、電力ケーブル９の引き出しの方向性の自由度を高めることができる。
【００２０】
なお、本発明は、複数階層構成の屋内又は地下変電所におけるケーブル室２において、電力ケーブル９を水平方向に引き出す構造であれば、上述したガス絶縁母管７とケーブルヘッド８とから成るガス絶縁母管接続部６の形態に限定されず、本発明の要旨を逸脱しない範囲で種々変更できることは勿論である。
【産業上の利用可能性】
【００２１】
本発明のガス絶縁開閉装置への電力ケーブル接続構造は、文字通りガス絶縁開閉装置について利用することができるが、電力ケーブルを引き出す構造の電力流通設備であれば、ガス絶縁開閉装置以外の設備にも利用することができる。
【図面の簡単な説明】
【００２２】
【図１】本発明のガス絶縁開閉装置への電力ケーブル接続構造を示す斜視図である。
【図２】ガス絶縁母管接続部の拡大側面図である。
【図３】従来のガス絶縁開閉装置から引き出した電力ケーブルを湾曲させた状態を示す斜視図である。
【図４】従来の電力ケーブルをガス絶縁開閉装置から斜め下方に引き出した状態を示す正面図である。
【符号の説明】
【００２３】
１  変圧器室
２  ケーブル室
３  開閉器室
５  ガス絶縁開閉装置
６  ガス絶縁母管接続部
７  ガス絶縁母管
８  ケーブルヘッド
９  電力ケーブル
【図１】
2006067677.tif 000003
【図２】
2006067677.tif 000004
【図３】
2006067677.tif 000005
【図４】
2006067677.tif 000006